(57)【要約】【課題】マグネットで閉じる扉又はトルク閉式扉であって、手前に開く扉に簡単に取り付け可能であって、足で開閉操作可能な扉開閉器具を提供する。【解決手段】台部１０２の上で手前側に開閉する扉１０１を備えたショーケース１００において、扉１０１を足で開閉操作するための扉開閉器具１であって、扉開閉器具１は上側器具１０と下側器具２０を有し、上側器具１０は扉固定部１２と上側支持部１１を有し扉１０１に取り付け、下側器具２０は台部１０２に固定されるフレーム部２６と回転可能な下側支持部２３とその下端側のペダル２１を有し台部１０２に取り付け、下側支持部２３の上端部が上側支持部１１の奥側に接するように配置され、軸部２５を軸とする下側支持部２３の上端部が描く回転円Ｒ内に下側支持部２３の下端部および上側支持部１１の下端部が位置し、上側支持部１１の下端部が足先引掛け部１４とされている扉開閉器具１により前記課題を解決できる。【選択図】図３
0003235461.tif 000002
【実用新案登録請求の範囲】
【請求項１】
台部と、前記台部の上で手前側に開閉する扉であって、マグネットで閉じる扉又はトルク閉式扉とを備えたショーケースにおいて、前記扉を足で開閉操作するための扉開閉器具であって、
前記扉開閉器具は、上側器具と、下側器具とを有し、
前記上側器具は、扉固定部と上側支持部を有し、前記扉の開き側下端位置に取り付け、
前記下側器具は、前記台部に固定されるフレーム部と、軸部を軸として回転可能に連結された下側支持部と、前記下側支持部の下端側に連結されたペダルとを有し、前記扉を閉じたとき、前記上側器具を取り付けた位置の下方となる位置であって、前記台部の上端位置に取り付け、
前記扉が閉じているとき、前記下側支持部の上端部が前記上側支持部の奥側に接するように配置され、
前記軸部を軸とする下側支持部の上端部が描く回転円内に、下側支持部の下端部および上側支持部の下端部が位置し、
前記上側支持部の下端部が足先引掛け部とされていることを特徴とする扉開閉器具。
【請求項２】
前記フレーム部が、前記台部に固定する台部固定部と、前記台部固定部に連結された背面部と、前記背面部に連結された側面部とを有しており、前記側面部に設けた軸孔に前記軸部が取り付けられる、請求項１に記載の扉開閉器具。
【考案の詳細な説明】
【技術分野】
【０００１】
本発明は、扉開閉器具に関する。特に、マグネットで閉じる扉又はトルク閉式扉であって、手前に開く扉に簡単に取り付け可能であって、足で扉の開閉操作可能な扉開閉器具に関する。
【背景技術】
【０００２】
近年のコロナ禍により、ウイルス感染防止のため、ものに手で触らないようにすることが推奨されている。ものに全く手を触れずに生活することは絶対に無理だが、なるべくものに手を触れない日常にはできる。
例えば、コンビニエンスストアに行き、冷蔵ショーケースの扉を開け、飲料を取り出し、レジで精算するという日常がある。このとき、扉に手を触れることなく冷蔵ショーケースの扉の開閉を行うことができれば、コンビニエンスストアの数、その利用者の数、利用頻度等を考えると、ウイルス感染防止に大きく役立つことが分かる。
冷蔵ショーケースの扉は、マグネットで閉じる扉又はトルク閉式扉であって、手前に開く扉が一般的である。そこで、このような扉の開閉器具であって、手を使わず操作できる器具を調査した。
【０００３】
手で触れることなく、扉の開閉ができる器具として、次のようなものがある。
特許文献１には、両手が塞がっているときに、足を引っかけて冷蔵庫の扉を開放する操作片が備えられたものが記載されている。特許文献１に記載の発明は扉のマグネットによるロックを外す機構がない。
特許文献２には、上下の扉を備えた冷蔵庫の扉開放装置であって、フットレバーを踏み下げると下の扉を開放し、引き上げると上の扉を開放するものが記載されている。特許文献５には、設置後の冷蔵庫等に取り付け可能であり、足でレバーを踏み開動作を行うことが可能なものが記載されている。特許文献２、５に記載の発明は扉やドアのマグネットによるロックを外す機構を有していない。
【０００４】
特許文献３には、引き戸に固定し、両手が塞がっていても引き戸を開けることができる開閉補助具が記載されている。特許文献４には、簡単に取り付け可能な扉開閉操作具であって、引き戸の開閉操作を足で行えるものが記載されている。特許文献３、４に記載の発明は、引き戸に使用するものであって、手前に開く扉に使用できない。
【０００５】
特許文献６には、ペダルを踏んでドアロックを外し、身体でドアを押して、手を使わず入室できる構成が記載されている。特許文献６に記載の発明は、ドアロックがドアを床に固定するロックであり、身体で奥に押し込む扉のみに適用でき、手前に開く扉やドアに使用できない。
【先行技術文献】
【特許文献】
【０００６】
【特許文献１】特開２００５−２１４４９８号公報
【特許文献２】特開平６−１３７７５１号公報
【特許文献３】登録実用新案第３０９３６８０号公報
【特許文献４】登録実用新案第３２２７８３６号公報
【特許文献５】特開平１０−２５３２３９号公報
【特許文献６】特開平８−２７０２９３号公報
【考案の概要】
【考案が解決しようとする課題】
【０００７】
本考案者は、マグネットで閉じる扉又はトルク閉式扉であって、手前に開く扉やドアに簡単に取り付け可能であり、手を使わず扉を開閉できる扉開閉器具を様々検討し、足を使って開閉すれば、手を使わず、扉を開閉できること、当該器具を扉の下方に取り付けられれば足で開閉操作が容易であることに気づいた。
取り付けやすさ、足での操作性、使用感などを考慮して、試行錯誤しながら、種々の形態、材料、大きさの器具を作成し、本考案の器具を想到するに至った。
【０００８】
本考案は、マグネットで閉じる扉又はトルク閉式扉であって、手前に開く扉に取り付け可能であって、扉に手が触れずに開閉操作可能な扉開閉器具を提供することを目的・課題とする。
【課題を解決するための手段】
【０００９】
上記課題を解決するための手段の態様は次のとおりである。
〔第１の態様〕
第１の態様は、台部と、前記台部の上で手前側に開閉する扉であって、マグネットで閉じる扉又はトルク閉式扉とを備えたショーケースにおいて、前記扉を足で開閉操作するための扉開閉器具であって、
前記扉開閉器具は、上側器具と、下側器具とを有し、
前記上側器具は、扉固定部と上側支持部を有し、前記扉の開き側下端位置に取り付け、
前記下側器具は、前記台部に固定されるフレーム部と、軸部を軸として回転可能に連結された下側支持部と、前記下側支持部の下端側に連結されたペダルとを有し、前記扉を閉じたとき、前記上側器具を取り付けた位置の下方となる位置であって、前記台部の上端位置に取り付け、
前記扉が閉じているとき、前記下側支持部の上端部が前記上側支持部の奥側に接するように配置され、
前記軸部を軸とする下側支持部の上端部が描く回転円内に、下側支持部の下端部および上側支持部の下端部が位置し、
前記上側支持部の下端部が足先引掛け部とされていることを特徴とする扉開閉器具。
【００１０】
〔作用効果〕
本考案は、前記扉固定部と、前記フレーム部とを有する構成なので、前記上側器具を前記扉に簡単に取り付け、前記下側器具を台部に簡単に取り付けることができる。
本考案は、前記下側器具は、軸部と、前記軸部を軸として回転可能に連結された下側支持部と、前記下側支持部の下端側に連結されたペダルとを有する構成なので、前記下側支持部に連結された前記ペダルを足で踏むと、前記軸部を軸として前記下側支持部を回転させることができる。
また、前記扉が閉じているとき、前記下側支持部の上端部が前記上側支持部の奥側に接するように配置されている構成なので、下側支持部の回転により、前記下側支持部の上端部が前記上側支持部の奥側を押して、磁石又はトルクの力に逆らって、前記扉を手前側に少し引き出すことができる。これにより、足先引掛け部に足先を挿入するための隙間を形成できる。これにより、当該隙間に足先を挿入して、前記足先引掛け部である前記上側支持部の下端部に足先を引っかけて、扉に手を触れずに、前記扉を手前側に大きく引き出すことができる。
【００１１】
〔第２の態様〕
第２の態様は、前記フレーム部が、前記台部に固定する台部固定部と、前記台部固定部に連結された背面部と、前記背面部に連結された側面部とを有しており、前記側面部に設けた軸孔に前記軸部が取り付けられる、第１の態様に記載の扉開閉器具。
【００１２】
〔作用効果〕
本考案は、前記構成の台部固定部を備えるので、下側器具を台部に簡単に取り付けることができ、背面部を備えるので、下側器具を台部に安定して取り付けることができ、側面部を備え、前記側面部に設けた軸孔に前記軸部が取り付けられるので、軸部を安定して取り付け、ペダルに所望の回転をさせることができる。
【００１３】
以上に説明したように、本発明によれば、マグネットで閉じる扉又はトルク閉式扉であって、手前に開く扉に取り付け可能であって、扉に手を触れずに開閉操作可能な扉開閉器具を提供できる。
【図面の簡単な説明】
【００１４】
【図１】本考案の扉開閉器具を取り付けた扉の一例を示す正面図である。
【図２】図１におけるＡ部拡大図であって、本考案の扉開閉器具の正面図である。
【図３】本考案の扉開閉器具の側面図である。
【図４】本発明の扉開閉器具を取り付けた扉の開放操作の一例を示す連続説明図である。
【図５】本発明の扉開閉器具を取り付けた扉の開放操作の一例を示す連続写真である。
【考案を実施するための形態】
【００１５】
（扉開閉器具）
図１は、本考案の扉開閉器具を取り付けた扉の一例を示す正面図である。
図１に、 ショーケース１００を示す。ショーケース１００は、コンビニなどに設置され、飲料ボトルや飲料缶を保存する冷蔵ショーケースであり、台部１０２の上に扉１０１を備えている。扉１０１にはハンドル１０３が設けられており、ハンドル１０３を引いて扉１０１を手前側に開閉する機構とされている。扉１０１は、マグネットラッチが取り付けられ、マグネットで閉じる機構とされている。
ショーケース１００には、扉１０１を足で開閉操作するための扉開閉器具１が取り付けられている。
【００１６】
図２は、図１におけるＡ部拡大図であって、本考案の扉開閉器具１の正面図である。図３は、本考案の扉開閉器具１の側面図である。
扉開閉器具１は、扉１０１の開き側下端位置に取り付ける上側器具１０と、扉１０１を閉じたとき、上側器具１０を取り付けた位置の下方となる位置であって、台部１０２の上端位置に取り付ける下側器具２０とを有している。
【００１７】
（上側器具）
上側器具１０は、扉１０１に取り付ける扉固定部１２と、扉固定部１２にネジ１３で連結された上側支持部１１を有している。
扉固定部１２は、プラスチック製の板状部材を、側面視コの字状としたものとされており、扉１０１の下端部を嵌合固定し、更にネジ１３で固定している。しかし、これに限られるものではなく、Ｌ字状の部材としてもよい。また、嵌合固定の安定化のために、弾性部材を用いてもよい。嵌合固定のみで固定が十分であれば、嵌合固定のみでもよい。
【００１８】
上側支持部１１は、プラスチック製の円筒状のパイプ部材を、正面視逆コの字状、側面視略逆Ｌ字状に形成したものとされている。手前側部分は直下方向に垂下され、その先端部の奥側は足先引掛け部１４とされている。扉が閉じているとき、足先引掛け部１４がペダル２１の直上にあり、ペダル操作して扉を少し開いた時、足先引掛け部１４がペダル２１の直上からわずかに隙間を開けた位置となるので、ペダルから足先を離して、足先を足先引掛け部１４に容易に移動することができる。
【００１９】
足先引掛け部１４は、上側支持部１１の先端部の奥側のパイプ表面であるが、パイプの表面を凹凸加工してもよい。これにより、滑って足先から足先引掛け部１４が外れる可能性を減らすことができる。
上側支持部１１は、プラスチック製の円筒状のパイプ部材が用いられているが、これに限られるものではなく、アルミニウム製でもよく、四角筒状、多角筒状、円柱、角柱部材としてもよい。先端部は足先引掛け部１４とされるので、耐久性が高く、軽い部材が好ましい。
【００２０】
（下側器具）
下側器具２０は、台部１０２に固定されるフレーム部２６と、フレーム部２６に接続された軸部２５と、軸部２５を軸として回転可能に連結された下側支持部２３と、下側支持部２３の下端側に連結されたペダル２１とを有している。
【００２１】
フレーム部２６は、台部１０２に固定する台部固定部２６Ａと、台部固定部２６Ａに連結された背面部２６Ｂと、背面部２６Ｂに連結された側面部２６Ｃとを有している。
【００２２】
台部固定部２６Ａは、側面視コの字状の部材とされており、台部１０２の上端部を嵌合固定する。これにより、下側器具２０を台部１０２に簡単に取り付けることができる。
背面部２６Ｂは、台部１０２に接面配置されている。これにより、下側器具２０を台部１０２に安定して取り付けることができる。
２つの側面部２６Ｃが背面部２６Ｂに対して垂直となる角度で前方に突出するように設けられ、対面配置され、対面位置に軸孔が形成されている。これにより、軸部２５を安定してかつ簡単に取り付けることができ、軸部を回転軸として、ペダルに所望の回転をさせることができる。
【００２３】
フレーム部２６が、アルミニウム製の１枚の板状部材を折り曲げて作ったものであることが好ましい。これにより、台座固定部２６Ａと、背面部２６Ｂと、側面部２６Ｃを簡単に形成できる。また、製造コストを安くできる。
しかし、これに限られるものではなく、プラスチック製の板状部材を接合して作成してもよい。
【００２４】
下側支持部２３は、プラスチック製の円筒状のパイプ部材が用いられているが、これに限られるものではなく、アルミニウム製でもよく、四角筒状、多角筒状、円柱、角柱部材としてもよい。下側支持部２３は、耐久性が高く、軽い部材が好ましい。
【００２５】
下側支持部２３は、正面視逆コの字状、側面視逆くの字状とされている。また、下端側にペダル２１が取り付けられている。折り曲がる箇所内側に軸部２５が接合されている。
【００２６】
くの字状に折り曲げた角度αは、約４５度とされている。角度αは、３０度以上９０度以下が好ましく、４０度以上８０度以下がより好ましい。この角度範囲であれば、ペダルに楽に足を乗せ、踏み込むことができる。
【００２７】
ペダル２１は平面視四角形状の板状部材とされている。長さＬ、幅Ｂはそれぞれ、約１０ｃｍ、約１５ｃｍとされている。長さＬ、幅Ｂは、５ｃｍ以上１５ｃｍ以下が好ましく、７ｃｍ以上１２ｃｍ以下がより好ましい。これらの範囲であれば、ペダルに楽に足を乗せ、踏み込むことができる。
【００２８】
扉１０１に取り付け、扉１０１が閉じているとき、ペダル２１と上側支持部１１が近接配置されていることが好ましい。より具体的には、ペダル２１の上端側と上側支持部１１の先端側が近接配置されていることが好ましい。さらに具体的には、ペダル２１の上端側と上側支持部１１の先端側が５ｃｍ以内に配置されていることが好ましい。これにより、ペダル２１に乗せた足先を上側支持部１１の下端部の奥側の足先引掛け部１４にすばやく移動することができる。
【００２９】
（扉の開閉方法）
図４は、本考案の扉開閉器具を取り付けた扉の開放操作の一例を示す連続説明図である。図４には、軸部２５を軸とする下側支持部２３の上端部が描く回転円Ｒが示されている。
図３、図４（ａ）に示すように、扉１０１が閉じているとき、下側支持部２３の上端部が上側支持部１１の奥側に接するように配置されている（図４（ａ）参照）。これにより、軸部２５を軸とする下側支持部２３の回転により、下側支持部２３の上端部が上側支持部１１の下端部の奥側を押すことができる。さらに、これにより、磁石又はトルクの力に逆らって、扉１０１を手前側に少し引き出すことができる。
なお、下側支持部２３の上端部が上側支持部１１の奥側と接していても、接するように離れて配置されていてもよい。
【００３０】
ペダル２１を足で踏むと、軸部２５を軸として下側支持部２３が回転し、下側支持部２３の上端部が上側支持部１１の奥側を押して、磁石又はトルクの力に逆らって、扉１０１を手前側に少し引き出す（図４（ｂ）、（ｃ）参照）。これにより、足先引掛け部１４に足先を引っかけるための隙間を形成できる。
【００３１】
扉１０１を手前側に少し引き出し、足先引掛け部１４に足先を引っかけるための隙間に足先を挿入し、足先引掛け部１４である上側支持部１１の下端部に足先を引っかけて、扉１０１を手前側に大きく引き出す（図４（ｄ）、（ｅ）参照）。これにより、手を触れずに扉１０１を開放して、飲料などを取り出すことができる。
【００３２】
飲料などを取り出した後、足先を上側支持部１１の下端部からはなすことにより、扉が元の位置に戻り、マグネットで閉じる。このとき、下側支持部２３の上端部が上側支持部１１の奥側に接するように配置された状態となる。
【００３３】
回転の間、回転円Ｒ内に、下側支持部２３の下端部及び上側支持部１１の下端部が位置することが好ましい。
これにより、足先がペダルを踏む力を効率よく下側支持部２３の上端部が上側支持部１１の下端部の奥側を押す力とすることができる。
【００３４】
なお、扉１０１は、マグネットラッチが取り付けられ、マグネットで閉じる機構とされているが、これに限られるものではなく、トルク閉式扉でもよい。
【実施例】
【００３５】
（実施例１）
まず、アルミ製の板状部材から側面視コの字状の扉固定部を形成してから、パイプ部材を正面視逆コの字状、側面視略逆Ｌ字状に加工して上側支持部を形成し、上側支持部を扉固定部にネジでパイプ部を取り付けて、上側部材を作成した。
【００３６】
次に、アルミニウム製の板状部材に２つの軸孔を形成し、外輪郭を切り出してから、所定位置を折り曲げて、側面視コの字状の台部固定部、背面部、２つの側面視三角形状の側面部を形成して、フレーム部を作成し、パイプ部材を正面視逆コの字状、側面視逆くの字状に加工してから、下端側にペダルを取り付け、折り曲がる箇所内側に軸部を接合して、下側支持部を作成してから、軸孔に軸部を取り付けて、下側部材を作成した。
以上のようにして、本考案の扉開閉器具を作成した。
【００３７】
次に、上側部材の側面視コの字状の扉固定部に、扉の下端部を嵌合固定し、ネジ止めしてから、下側部材の側面視コの字状の台部固定部に、台部の上端部を嵌合固定して、本考案の扉開閉器具を扉に取り付けた。
【００３８】
次に、連続写真を撮りながら、操作確認をした。
図５は、作成した扉開閉器具を取り付けた扉の開放操作の一例を示す連続写真である。
図５に示すように、足でペダルを踏むことにより、簡単にマグネットロックを外すことができ、扉を少し手前に開くことができた。そのときできた隙間に足先を挿入し、足先引掛け部に足先を引っかけることができた。そして、わずかに足先を手前側に引くだけで、足先引掛け部を足先で手前に引き、手を使わず、扉を開くことができた。さらに、足先を外すことにより元の状態に戻すことができた。
何回操作しても、扉に手を触れずにスムーズな開閉操作をすることができた。
【産業上の利用可能性】
【００３９】
本考案の扉開閉器具は、足で扉の開閉操作可能な機構を有し、扉に簡単に取り付け可能な器具であるので、扉開閉器具の製造分野及びその使用分野において利用可能性がある。
【符号の説明】
【００４０】
１…扉開閉器具、１０…上側器具、１１…上側支持部、１２…扉固定部、１３…ネジ、１４…足先引掛け部、２０…下側器具、２１…ペダル、２３…下側支持部、２５…軸部、２６…フレーム部、２６Ａ…台部固定部、２６Ｂ…背面部、２６Ｃ…側面部、１００…ショーケース、１０１…扉、１０２…台部、１０３…ハンドル、２００…足、Ｂ…幅、Ｌ…長さ、Ｒ…回転円。
【図１】
0003235461.tif 000003
【図２】
0003235461.tif 000004
【図３】
0003235461.tif 000005
【図４】
0003235461.tif 000006
【図５】
0003235461.tif 000007